(57)【要約】【課題】複数の映像システムが存在する環境では、表示装置から眼鏡装置へ送信される同期信号が他の映像システムと混信する可能性がある。【解決手段】表示装置の同期信号送信部の前面に同期信号を伝搬する光の特性を制限するフィルタを設ける。また、眼鏡装置の同期信号受信部の前面に受光する同期信号の光の特性を制限する受信フィルタを設ける。このフィルタと受信フィルタの特性を合わせることで、両者は一致する特性を持った光で同期信号の送受信を行うことが可能となり、従来と比較して混信を抑制することができる。【選択図】図１
2012227677.tif 000002
【特許請求の範囲】
【請求項１】
３次元映像を表示する表示装置と、前記３次元映像の視聴を補助する眼鏡装置と、を備える映像システムであって、
前記表示装置は、
３次元映像を表示する表示部と、
前記表示部に表示される３次元映像と同期した同期信号を赤外線で前記眼鏡装置へ送信する同期信号送信部と、
前記同期信号送信部から送信された赤外線の光特性を制限するフィルタと、
を有し、
前記眼鏡装置は、
前記表示装置からの同期信号を赤外線で受信する同期信号受信部と、
前記同期信号受信部が受信した同期信号に基づいて、視聴者の左眼、右眼へ入射する前記３次元映像の光を制御するシャッタ部と、
前記同期信号受信部が受光する赤外線の光特性を、前記フィルタ部の光特性と同じ光特性に制限する受信フィルタと、
を備える映像システム。
【請求項２】
前記フィルタは、その光特性が直線偏光である偏光フィルタであり、
前記受信フィルタは、その光特性が直線偏光である受信偏光フィルタである、
請求項１に記載の映像システム。
【請求項３】
前記フィルタは、その光特性が円偏光である偏光フィルタであり、
前記受信フィルタは、その光特性が円偏光である受信偏光フィルタである、
その請求項１に記載の映像システム。
【請求項４】
前記フィルタ、及び、受信フィルタの光特性は、偏光特性であり、その偏光方向が可変である請求項１に記載の映像システム。
【発明の詳細な説明】
【技術分野】
【０００１】
本発明は、視聴者に３次元的に知覚される映像を提供するための映像システムに関する。
【背景技術】
【０００２】
近年の映像技術の発達により、視聴者に３次元的に知覚される映像（３次元映像）を提供するための映像システムが開発されてきている。多くの場合、このような映像システムは、左眼で視聴されるための左眼フレーム画像と、右眼で視聴されるための右眼フレーム画像とを含む映像を表示する表示装置と、表示装置が表示する映像の視聴を補助する眼鏡装置とを備える。例えば、特許文献１に開示される映像システムの表示装置は、映像のフレーム画像の表示に同期する同期信号を赤外線で送信し、眼鏡装置は、同期信号に基づいて映像の視聴を補助するための立体視補助動作を実行する。眼鏡装置が、映像のフレーム画像の表示に同期した立体視補助動作を実行することにより、視聴者は表示装置が表示する映像を立体的に知覚することが可能となる。
【先行技術文献】
【特許文献】
【０００３】
【特許文献１】特開平８−３１７４２６号公報
【発明の概要】
【発明が解決しようとする課題】
【０００４】
複数の映像システムを隣り合わせで使用する場合、眼鏡装置に向けて表示装置から送信するお互いの同期信号となる赤外線が干渉して各々の眼鏡装置で安定して立体視補助動作を実行できないという問題が生じる。
【０００５】
例えば２台の表示装置Ａ、表示装置Ｂに対して、各々の表示装置に対する眼鏡装置Ａ、眼鏡装置Ｂを想定する。通常は２台の表示装置は全く別々の映像信号により非同期で映像を表示しているので、各々の同期信号はタイミングが異なる。通常は表示装置Ａから送られる同期信号により眼鏡装置Ａで表示装置Ａの映像を立体視できる。また表示装置Ｂから送られる同期信号により眼鏡装置Ｂで表示装置Ｂの映像を立体視できる。ここで表示装置Ａと表示装置Ｂが隣り合っている場合、眼鏡装置Ａと眼鏡装置Ｂの視聴位置も近くなってしまい、表示装置Ｂの同期信号が眼鏡装置Ａで受信されることが起こり得る。表示装置Ｂの同期信号は表示装置Ａの同期信号とタイミングが合っていないので、表示装置Ｂの同期信号を受けた眼鏡装置Ａでは表示装置Ａの映像を立体視することはできなくなる。同様に表示装置Ａの同期信号が眼鏡装置Ｂで受信されることも起こり得て、同じように眼鏡装置Ｂで表示装置Ｂの映像を立体視することはできなくなる。
【０００６】
また、表示装置Ａと表示装置Ｂの両方の同期信号が眼鏡装置Ａで受信されることも起こり得る。この場合は眼鏡装置Ａが正常に動作せず、表示装置Ａ、表示装置Ｂ何れの映像も立体視することはできなくなる。同様に眼鏡装置Ｂの方も、表示装置Ａ、表示装置Ｂ何れの映像も立体視できなくなることが起こり得る。
【０００７】
上記実情を鑑みて、本発明は、赤外線による同期信号の混信を好適に抑制することができる表示装置及び眼鏡装置からなる映像システムを提供することを目的とする。
【課題を解決するための手段】
【０００８】
本発明の映像システムは、３次元映像を表示する表示装置と、前記３次元映像の視聴を補助する眼鏡装置と、を備える映像システムであって、表示装置は、３次元映像を表示する表示部と、表示部に表示される３次元映像と同期した同期信号を赤外線で眼鏡装置へ送信する同期信号送信部と、同期信号送信部から送信された赤外線の光特性を制限するフィルタと、を有し、眼鏡装置は、表示装置からの同期信号を赤外線で受信する同期信号受信部と、同期信号受信部が受信した同期信号に基づいて、視聴者の左眼、右眼へ入射する前記３次元映像の光を制御するシャッタ部と、同期信号受信部が受光する赤外線の光特性を、フィルタ部の光特性と同じ光特性に制限する受信フィルタと、を備える。
【０００９】
上記の映像システムにおいて、フィルタ及び受信フィルタは直線偏光の光特性を有するものであってもよい。
【００１０】
また、上記の映像システムにおいて、フィルタ及び受信フィルタは、円偏光の光特性を有するものであってもよい。
【００１１】
さらに、上記の映像システムにおいて、フィルタ及び受信フィルタは偏光特性を有し、その偏光方向が可変であってもよい。
【００１２】
つまり、本出願の発明では表示装置から眼鏡装置へ送る同期信号の光特性を特定の性質を持った光に制限することで、他の映像システムや他の機器との同期信号の混信を抑制することができる。これらの光特性は、直線偏光や円偏光を用いることが可能である。さらに、映像システム毎にこれらの偏光方向を変えることで、より混信を抑制することができる。
【発明の効果】
【００１３】
上述の如く、本発明に係る表示装置及び眼鏡装置からなる映像システムは、赤外線による同期信号の混信を好適に抑制することができる。
【図面の簡単な説明】
【００１４】
【図１】本実施の形態に係る映像システムの概略構成図
【図２】本実施の形態で説明する複数の映像システムを備えた場合の構成図
【図３】映像システムの表示装置が備える同期信号送信部の概略構成図
【図４】映像システムの眼鏡装置が備える同期信号受信部の概略構成図
【図５】偏光フィルタによる光の透過と遮蔽を説明する図
【図６】第１の実施形態において、第１同期信号送信部からの同期信号送信と、第１同期信号受信部及び第２同期信号受信部での同期信号受信と、の状況を説明する図
【図７】第１の実施形態において、第２同期信号送信部からの同期信号送信と、第１同期信号受信部及び第２同期信号受信部での同期信号受信と、の状況を説明する図
【図８】第２の実施形態において、第１同期信号送信部からの同期信号送信と、第１同期信号受信部及び第２同期信号受信部での同期信号受信と、の状況を説明する図
【図９】第２の実施形態において、第２同期信号送信部からの同期信号送信と、第１同期信号受信部及び第２同期信号受信部での同期信号受信と、の状況を説明する図
【図１０】第３の実施の形態において、第１同期信号送信部と第２同期信号送信部の前面に配置した偏光フィルタを説明する図
【図１１】第３の実施の形態において、第１同期信号受信部と第２同期信号受信部の前面に配置した受信偏光フィルタを説明する図
【発明を実施するための形態】
【００１５】
以下、本発明に係る表示装置及び眼鏡装置からなる３次元映像（立体映像）が表示、視聴可能な映像システムについて図面を参照して説明する。尚、図面に示される構成、配置或いは形状等並びに図面に関連する記載は、単に本発明の原理を説明することを目的とするものであり、本発明の内容がこれらの実施の形態で説明する態様に限定するものではない。
【００１６】
（実施の形態１）
図１に３次元映像システムを概略的に示す。図１の３次元映像システム１００は、表示装置２００と、眼鏡装置３００とを備える。表示装置２００は、３次元映像（立体映像）を表示する。眼鏡装置３００は、表示装置２００の表示面２０２に表示された映像を、視聴者に立体的に知覚させるための立体視補助動作を行う。
【００１７】
表示装置２００は、同期信号送信部２０１と、表示パネル２０２と、筐体２０３と、偏光フィルタ２０４と、を備える。
【００１８】
同期信号送信部２０１は、表示パネル２０２に表示される３次元映像（立体映像）の左眼用映像、右眼用映像の表示と同期した同期信号を、目願装置３００へ送信する。本実施の形態では、同期信号の送信に、赤外線域の波長を持つ光を用いるものとして説明する。
【００１９】
表示パネル２０２は、表示装置２００が外部から入力された３次元映像信号、または表示装置３００内部で生成、または読み出された３次元映像信号にしたがって、左眼用の映像と右眼用の映像を時間的に交互に表示する。なお、本実施の形態ではフレーム単位で映像を表示する場合を例に説明するが、本発明の内容はこれに限定されるものではない。フィールド単位で左眼用の映像と右眼用の映像が時間的に交互、または一定間隔毎に表示されるものであってもよい。つまり、３次元映像信号に含まれる左眼用の映像と右眼用の映像が時間的に異なるタイミングで表示されるものであればいずれのものであってもよい。
【００２０】
筐体２０３は、表示装置２００の同期信号送信部２０１、表示パネル２０２等を支持する。
【００２１】
偏光フィルタ２０４は、同期信号送信部２０１から送出される光の特性、特に偏光方向を変える、または所定の偏光方向のみに制限する、等の光学的な調整を施すものである。
【００２２】
眼鏡装置３００は、左眼シャッタ３０１と、右眼シャッタ３０２と、同期信号受信部３０３と、受信偏光フィルタ３０４と、を備える。
【００２３】
左眼シャッタ３０１と、右眼シャッタ３０２と、は表示装置２００の表示パネル２０２に表示される３次元映像と同期して、それぞれ開閉動作を行う。具体的には、表示パネル２０２に左眼用映像が表示されている際に、左眼シャッタ３０１が開状態、右眼シャッタ３０２が閉状態となる。反対に、表示パネル２０２に右眼用映像が表示されている際に、左眼シャッタ３０１が閉状態、右眼シャッタ３０２が開状態となる。これにより、視聴者の左右の眼にはそれぞれ、左眼用映像の光のみ、右眼用映像の光のみがはいり、視聴者は表示パネル２０２に表示される映像が３次元映像であると知覚できる。
【００２４】
同期信号受信部３０３は、表示装置２００の同期信号送信部２０１から送信される同期信号を受信する。
【００２５】
受信偏光フィルタ３０４は、同期信号受信部３０３の前面（表示装置２００側）に設けられ、同期信号受信部３０３へ入射する光の特性を変えるものである。
【００２６】
図２は、図１で説明した３次元映像システム１００を２つ並べた場合の映像システム構成を示す図である。図２の映像システム４００は、第１の映像システム４１０と、第２の映像システム４２０とを、備える。第１の映像システム４１０、第２の映像システム４２０ともに、図１で示した３次元映像システム１００と同等のものである。
【００２７】
第１の表示装置２１０、第２の表示装置２２０、は表示装置２００と同じものである。第１の同期送信部２１１、第２の同期送信部２２１、はともに同期送信部２０１と同じである。第１の表示パネル２１２、第２の表示パネル２２２、はともに表示パネル２０２と同じである。第１の筐体２１３、第２の筐体２２３、は筐体２０３と同じである。第１の偏光フィルタ２１４、第２の偏光フィルタ２２４、は偏光フィルタ２０４と同じである。
【００２８】
第１のメガネ装置３１０、第２のメガネ装置３２０は、メガネ装置３００と同じものである。第１の同期信号受信部３１３、第２の同期信号受信部３２３、は同期信号受信部３０３と同じである。第１の受信偏光フィルタ３１４、第２の受信偏光フィルタ３２４は、受信偏光フィルタ３０４と同じである。
【００２９】
図２で示すように、第１の映像システム４１０と第２の映像システム４２０とを２つ（複数）並べて設置すると、第１の同期信号送信部２１１から送信された同期信号が、第２同期信号受信部３２３で受信される可能性がある。また、同様に第２の同期信号送信部２２１から送信された同期信号が、第１の同期信号受信部３１３で受信される場合もある。このような場合に複数のシステム間で同期信号の送受信が混信し、視聴者が正しく３次元映像を視聴できなくなる可能性がる。
【００３０】
図３は、第１の同期信号送信部２１１、第２の同期信号送信部２２１、の構成を示す図である。図３（ａ）に第１同期信号送信部２１１の内部を上面から示す。なお、図３（ａ）、（ｂ）では、第１の同期信号送信部２１１を用いて説明するが、第２の同期信号送信部２２１も同じ内容である。第１同期信号送信部２１１は、赤外線ＬＥＤ２１１ａと、駆動回路２１１ｂと、を有する。
【００３１】
赤外線ＬＥＤ２１１ａは、電気信号を赤外線等の光に変換して出力する。駆動回路２１１ｂは、赤外線ＬＥＤ２１１ａへ供給する電力（電流）を制御することで、意図する赤外線を赤外線ＬＥＤ２１１ａから発光させる。
【００３２】
第１の偏光フィルタ２１４は、第１の同期信号送信部２１１の前面（映像の表示出力側）に設けられる。第１の偏光フィルタ２１４は、赤外線ＬＥＤ２１１ａから出力された光の特性を変える、特に偏光方向を変える、または、特性の偏光方向のみに制限する等、をする。図３（ｂ）は、第１の同期信号送信部２１１、第１の偏光フィルタ２１４をその前面（映像の表示出力側）から見た場合の図である。
【００３３】
図４は、第１の同期信号受信部３１３、第２の同期信号受信部３２３の構成を示す図である。図４（ａ）は、第１のメガネ装置３１０、第２のメガネ装置３２０の外観図を示す図である。図４（ｂ）は、第１の同期信号受信部３１３、第２の同期信号受信部３２３を上から見た図である。なお、図４（ｂ）、（ｃ）では第１の同期信号受信部３１３を用いて以下説明を行うが、第２の同期信号受信部３２３も同様の内容である。
【００３４】
図４（ｂ）に示すように、第１の同期信号受信部３１３は、第１の赤外線センサ３１３ａと、第１の信号処理回路３１３ｂと、を備える。第１の赤外線センサ３１３ａは、表示装置２１０の第１の同期信号送信部２１１から送信された同期信号（赤外線）を受光し、電気信号に変換する。第１の信号処理回路３１３ｂは、第１の赤外線センサ３１３ａが出力した電気信号を所定の信号処理、例えば、信号レベルの増幅、フィルタ処理、アナログ信号からデジタル信号への変換等、を行う。第１の同期信号受信部３１３の前面（表示装置２１０側）には、第１の受信偏光フィルタ３１４が設けられている。
【００３５】
図４（ｃ）は、第１の同期信号受信部３１３を前面から見た場合の図である。第１の同期信号受信部３１３の前面には、第１の受信偏光フィルタ３１４が設けられている。
【００３６】
図５は、光の偏光方向と偏光フィルタを用いた場合の性質について説明する図である。光源から発せられた赤外光はランダムな偏光特性を持っている。その前面に図５（ａ）に示すように縦方向の偏光フィルタ１を配設すると、偏光フィルタ１を通過した赤外光は縦方向の偏光を持つ。この縦方向に偏光特性を持った赤外光は更に縦方向の偏光を持った偏光フィルタ２を通過することができるので、光源からの光は透過することになる。一方図５（ｂ）に示すように縦方向の偏光フィルタ１を配設すると、偏光フィルタ１を通過した赤外光は縦方向の偏光を持ち、この縦方向に偏光特性を持った赤外光は横方向の偏光を持った偏光フィルタ３は通過することができないので、光源からの光は透過しないことになる。
【００３７】
図６、図７で同期信号送信部２１１、２２１、偏光フィルタ２１４、２２４、同期信号受信部３１３、３２３の関係を説明する。図６（ａ）で第１の同期信号送信部２１１から送信された赤外線は、第１の偏光フィルタ２１４を通る。ここでは縦方向の直線偏光の例を示す。第１の偏光フィルタ２１４を通すことで縦方向の偏光特性を持った赤外線は、更に第１眼鏡装置３１０にて同じ縦方向の第１の受信偏光フィルタ３１４を透過して、第１の同期信号受信部３１３で受信される。
【００３８】
同様に図６（ｂ）で第１の同期信号送信部２１１から送信された赤外線は第１の偏光フィルタ２１４を通る。ここでも縦方向の直線偏光の例を示す。第１の偏光フィルタ２１４を通すことで縦方向の偏光特性を持った赤外線は、更に第２の眼鏡装置３２０にて、第１の偏光フィルタ２１４と直交する横方向の偏光特性を持った第２の受信偏光フィルタ３２４を透過できない。その結果、第２の同期信号受信部３２３では第１の同期信号送信部２１１が送信・出力した同期信号を受信しない。
【００３９】
図７（ａ）で第２の同期信号送信部２２１から送信された赤外線は、第２の偏光フィルタ２２４を通る。第２の偏光フィルタ２２４を通過した赤外線は、横方向の偏光特性を持つ。更に第１の眼鏡装置３１０にて、第２の偏光フィルタ２２４と直交する方向の縦方向の偏光特性を持った第１の受信偏光フィルタ３１４を、赤外線は透過できず、第１の同期信号受信部３１３は、第２の同期信号送信部２２１が送信した同期信号を受信しない。
【００４０】
図７（ｂ）で第２の同期信号送信部２２１から送信された赤外線は、横方向の第２の偏光フィルタ２２４を通る。第２偏光フィルタ２２４を通すことで横方向の偏光特性を持った赤外線は、第２の眼鏡装置３２０にて同じ横方向の第２の受信偏光フィルタ３２４を透過して、第２の同期信号受信部３２３で受信される。
【００４１】
第１の表示装置２１０と第２の表示装置２２０との間で、同期信号送信部２１１、２２１から送信される赤外線の偏光特性がお互いに直交したもので、第１の表示装置２１０と第２の表示装置２２０と、から送信される赤外線の偏光方向に合った偏光特性を眼鏡装置側にも持たせるようにすることで、第１の同期信号送信部２１１から送信される同期信号は、第１の眼鏡装置３１０で受信される。同様に、第２の同期信号送信部２２１から送信される同期信号は、第２の眼鏡装置３２０によって受信される。第１の表示装置２１０から送信される同期信号を第１同期信号と称し、第２の表示装置２２０から送信される同期信号を第２同期信号と称すと、第１の眼鏡装置３１０は、第１同期信号に基づき、上述の立体視補助動作を実行する。第１のメガネ装置３１０は、第２の表示装置２２０から送信される第２同期信号を受信しない。この結果、第１眼鏡装置３１０を装着した視聴者は、第２の表示装置２２０が送信する第２同期信号の影響をうけることなく、第１表示装置２１０が表示する左眼フレーム画像を左眼で視聴し、右眼フレーム画像を右眼で視聴することが可能となる。第２のメガネ装置３２０は、第１の表示装置２１０から送信される第１同期信号を受信しない。この結果、第２の眼鏡装置３２０は、第１の表示装置２１０が送信する第１同期信号の影響を受けることなく、第２同期信号に基づき、上述の立体視補助動作を実行する。この結果、第２眼鏡装置３２０を装着した視聴者は、第２表示装置２２０が表示する左眼フレーム画像を左眼で視聴し、右眼フレーム画像を右眼で視聴することが可能となる。
【００４２】
かくして、第１表示装置２１０と第２表示装置２２０が隣接して設置された状態においても、第１眼鏡装置３１０を装着した視聴者は、第１表示装置２１０が表示する映像を立体的に知覚することができ、第２眼鏡装置３２０を装着した視聴者は、第２表示装置２２０が表示する映像を立体的に知覚することができる。
【００４３】
以上より、本実施の形態で説明したように、第１の映像システム４１０と第２の映像システムが存在する場合に、それぞれの映像システムにおける同期信号の送受信における偏光方向を互いに異なる特性とすることで、第１の映像システムと第２の映像システムの両システムが近接した場所に設置されている場合でも、同期信号送受信の混信を抑制することができ、それぞれの映像システムにおいてより好適に３次元映像の視聴が可能となる。
【００４４】
また、なお本実施の形態では、第１の映像システム４１０と第２の映像システム４２０が共存する場合について説明したが、本発明はこの場合のみに有効ではない。例えば、第１の映像システム４１０があって、ほかにも赤外線を出力する機器、例えば、リモートコントロールのような遠隔制御装置や、赤外線によるオーディオデータ伝送を行う装置が、ある環境においても有効である。このような環境下では、表示装置２００から送信され眼鏡装置３００へ送信される赤外線は、これらの機器等から出力される赤外線による外乱の影響を受ける。その場合にも本実施の形態で説明した偏光フィルタ２０４、受信偏光フィルタ３０４を用いれば、映像システム１００は、他の装置等からの赤外線の混信を防ぐことができ、より好適に３次元映像を視聴することが可能となる。
【００４５】
つまり、本実施の形態で説明した、表示装置側の偏光フィルタと眼鏡装置側の受信偏光フィルタの偏光特性を併せることで、映像システムは同期信号の送受信をより混信を抑制して行うことができる。
【００４６】
（実施の形態２）
実施の形態１において、第１の偏光フィルタ２１４、第２の偏光フィルタ２２４、第１の受信偏光フィルタ３１４、第２の受光偏光フィルタ３２４、に円偏光フィルタを用いた場合について説明する。３次元映像システムの概略は図１と同じである。
【００４７】
図８、図９で同期信号送信部、偏光フィルタ、同期信号受信部の関係を説明する。図８（ａ）は、第１の同期信号送信部２１１から送信された赤外線が、第１の同期信号受信部３１３で受信されるまでの内容を示す図である。第１の同期信号送信部２１１から送信された赤外線は、第１の偏光フィルタ２１４を通る。ここで第１の偏光フィルタ２１４は、第１の同期信号送信部２１１から赤外線の進行方向に向かって左回転の円偏光の特性を持つフィルタである。第１の偏光フィルタ２１４を通すことで左回転の偏光特性を持った赤外線は、第１の眼鏡装置３１０にて同じ左回転の第１の受信偏光フィルタ３１４を透過して、第１の同期信号受信部３１３で受信される。
【００４８】
図８（ｂ）は、同様に第１の同期信号送信部２１１から送信された赤外線が、第２の同期信号受信部３２３へ伝搬されるまでの内容を示す図である。第１の同期信号送信部２１１から送信された赤外線は、第１の偏光フィルタ２１４を通り、左回転の偏光特性を持つ。この左回転の偏光特性を持った赤外線は、第２の眼鏡装置３２０にて第１の偏光フィルタ２１４と反対方向の右回転の偏光特性を持った第２の受信偏光フィルタ３２４を透過できない。これは、第１の偏光フィルタ２１４と第２の受信偏光フィルタ３２４は同じ円偏光の特性を持つフィルタであるものの、その方向が左回転の円偏光と右回転の円偏光とで、異なるためである。そのため、第２の同期信号受信部３２３は、第１の同期信号送信部２１１が送信した同期信号を受信しない。
【００４９】
図９（ａ）は、第２の同期信号送信部２２１から送信された赤外線が、第１の同期信号受信部３１３へ伝搬されるまでの内容を示す図である。第２の同期信号送信部２２１から送信された赤外線は、右回転の偏光特性を持った第２の偏光フィルタ２２４を通過する。第２の偏光フィルタ２２４を通過することで右回転の偏光特性を持った赤外線は、第１の眼鏡装置３１０にて、第２の偏光フィルタ２２４と反対方向の左回転の偏光特性を持った第１の受信偏光フィルタ３１４を透過できない。これは、上記と同様に、第２の偏光フィルタ２２４と第１の受信偏光フィルタ３１４の円偏光の方向が異なるためである。第１の同期信号受信部３１３は、第２の同期信号送信部２２１で送信された同期信号を受信しない。
【００５０】
図９（ｂ）は、第２の同期信号送信部２２１から送信された赤外線が、第２の同期信号受信部３２３で受信されるまでの内容を示す図である。第２の同期信号送信部２２１から送信された赤外線は、右回転の偏光特性を持った第２の偏光フィルタ２２４を通る。第２の偏光フィルタ２２４を通過することで右回転の偏光特性を持った赤外線は、第２の眼鏡装置３２０にて同じ右回転の偏光特性を持った第２の受信偏光フィルタ３２４を透過する。通過した赤外線は、第２の同期信号受信部３２３で受信される。
【００５１】
第１の表示装置２１０と第２の表示装置２２０との間で、同期信号送信部２１１、２２１から送信される赤外線を通過させる偏光フィルタ２１４、２２４の円偏光の特性を互いに反対方向にすることで、それぞれの表示装置から出力される赤外線は、互いに反対方向の円偏光特性をもつ赤外線となる。第１のメガネ装置３１０と第２のメガネ装置３２０は、受信対象とする赤外線の円偏光の方向と同一の受信偏光フィルタ３１４、３２４を備えることで、受信対象とする赤外線のみを受信することができ、他の偏光特性を持つ赤外線を受光しない。
【００５２】
これにより、第１の表示装置２１０で表示された３次元映像と同期して第１のメガネ装置３１０は、適切に左右のシャッタを開閉制御することができる。同様に第２の表示装置２２０、第２のメガネ装置３２０でも好適に視聴者は３次元映像の左眼用映像と右眼用映像を視聴することが可能となる。
【００５３】
以上より、本実施の形態で説明したように、第１の映像システム４１０と第２の映像システム４２０とで同期信号の送受信に用いる赤外線の偏光特性を円偏光において異なる方向特性と持たせることにより、それぞれの映像システムにおいて赤外線の送受信を混信すること無く実現できる。これにより視聴者は好適に３次元映像の視聴が可能となる。
【００５４】
また、なお本実施の形態では、第１の映像システム４１０と第２の映像システム４２０が共存する場合について説明したが、本発明はこの場合のみに有効ではない。例えば、第１の映像システム４１０があって、ほかにも赤外線を出力する機器、例えば、リモートコントロールのような遠隔制御装置や、赤外線によるオーディオデータ伝送を行う装置が、ある環境においても有効である。このような環境下では、表示装置２００から送信され眼鏡装置３００へ送信される赤外線は、これらの機器等から出力される赤外線による外乱の影響を受ける。その場合にも本実施の形態で説明した偏光フィルタ２０４、受信偏光フィルタ３０４を用いれば、映像システム１００は、他の装置等からの赤外線の混信を防ぐことができ、より好適に３次元映像を視聴することが可能となる。
【００５５】
つまり、本実施の形態で説明した、表示装置側の偏光フィルタと眼鏡装置側の受信偏光フィルタの偏光特性を併せることで、映像システムは同期信号の送受信をより混信を抑制して行うことができる。
【００５６】
（実施の形態３）
実施の形態１において、偏光フィルタ２１４、２２４、受信偏光フィルタ３１４、３２４に回転できる直線偏光フィルタを用いた場合について説明する。３次元映像システムの概略は図１、図２と同じである。本実施の形態では、実施の形態１とは、偏光フィルタ２１４、２２４、受信偏光フィルタ３１４、３２４の配置方法が異なる。
【００５７】
図１０に、第１の同期信号送信部２１１、第２の同期信号送信部２２１、の前面に配置する第１の偏光フィルタ２１４、第２の偏光フィルタ２２４を示す。第１の偏光フィルタ２１４と第２の偏光フィルタ２２４とは、図１０に示すようにその偏光方向を回転できる構造を持っている。具体的には、偏光フィルタ２１４、２２４は、手動でその偏光方向を回転して偏光できるようにそれぞれの偏光フィルタが略円形の形状となりその一部に、回転させる摘みを備えたものである。偏光フィルタ２１４、２２４は直線偏光特性を持っており、この摘みを動かす（回転させる）ことにより偏光の方向を変える。
【００５８】
例えば図１０（ａ）では、同期信号送信部２１１、２２１に向かって右側に回転させた時、矢印で示す横方向の偏光方向になる。また、図１０（ｂ）に示すように、同期信号送信部２１１、２２１に向かって左側に９０°回転させると、矢印で示す縦方向の偏光方向となる。
【００５９】
図１１に、第１の同期信号受信部３１３と第２の同期信号受信部３２３との前面に配置する第１の受信偏光フィルタ３１４と第２の受信偏光フィルタ３２４を示す。
【００６０】
第１の受信偏光フィルタ３１４と第２の受信偏光フィルタ３２４とは、図１０で示した偏光フィルタ２１４、２２４と同様に、そのフィルタを回転する構造を有する。メガネ装置３１０、３２０でも受信偏光フィルタ３１４、３２４は直線偏光特性を持っており、回転させることにより偏光の方向を変えることができる。
【００６１】
例えば図１１（ａ）に示すように同期信号受信部３１３、３２３に向かって右側に回転させた時、矢印で示す横方向の偏光方向になる。図１０（ｂ）に示すように同期信号受信部３１３、３２３に向かって左側に９０°回転させると、矢印で示す縦方向の偏光方向となる。
【００６２】
以上より、本実施の形態で説明したように、映像システム４１０と映像システム４２０が混在して存在するような環境において、視聴者は、それぞれの映像システムにおける偏光フィルタ２１４、２２４と受信偏光フィルタ３１４、３２４を互いのシステム間で異なる偏光方向の特性を持つように調整することで、両映像システム間で同期信号の混信を防ぐことができる。その結果、視聴者はより好適に３次元映像の視聴が可能となる。
【００６３】
また、本実施の形態で説明したように、視聴者等は、両映像システム間で混信が発生する場合にのみ、偏光フィルタ２１４、２２４と受信偏光フィルタ３１４、３２４の組み合わせを変更することで、必要に応じて変更方向の特性を変えることが可能となる。そのため、映像システム４２０の視聴者が、映像システム４１０の３次元映像の視聴を希望した場合には、それまで使用していた第２のメガネ装置３２０の受信変更フィルタ３２４の偏光方向のみを変えることで対応することが可能となる。つまり、偏光方向を変化できるようにすることで、一つのメガネ装置で複数の表示装置に対応することが可能となる。
【００６４】
（その他の実施の形態）実施の形態１では直線偏光、実施の形態２では円偏光を用いて説明したが、これらを組み合わせたものであってもよい。たとえば、
第１の映像システム４１０では、直線偏光のフィルタを用い、第２の映像システム４２０では円偏光のフィルタをもちいたものであってもよい。この場合でも、同様に同期信号の混信を抑制することが可能となる。
【００６５】
また、実施の形態３では、視聴者等が手動で偏光方向を変える場合を例に説明したが、本出願の内容はこれに限定されるものではない。例えば、メガネ装置３１０、３２０が受信した同期信号から混信の可能性を判断し、混信の可能性が所定以上の場合には自動的に受信偏光フィルタ３１４、３２４の偏光方向をかえるものであってもよい。
【００６６】
この場合には、メガネ装置が自動で、混信の有無を判断し偏光方向を調整するため、視聴者はこれらの作業に煩わされることなく、より好適に３次元映像の視聴が可能となる。
【産業上の利用可能性】
【００６７】
本発明は、３次元映像を視聴する際に、表示装置と眼鏡装置との間で同期信号を送受信する映像システムに利用することが可能である。
【符号の説明】
【００６８】
１００  ３次元映像表示システム
２００、２１０、２２０  表示装置
３００、３１０、３２０  眼鏡装置
２０１、２１１、２２１  同期信号送信部
２０４、２１４、２２４  偏光フィルタ
３０１  左眼シャッタ
３０２  右眼シャッタ
３０３、３１３、３２３  同期信号受信部
３０４、３１４、３２４  受信偏光フィルタ
【図１】
2012227677.tif 000003
【図２】
2012227677.tif 000004
【図３】
2012227677.tif 000005
【図４】
2012227677.tif 000006
【図５】
2012227677.tif 000007
【図６】
2012227677.tif 000008
【図７】
2012227677.tif 000009
【図８】
2012227677.tif 000010
【図９】
2012227677.tif 000011
【図１０】
2012227677.tif 000012
【図１１】
2012227677.tif 000013